(57)【要約】【課題】設置作業が簡単容易で安価な半地下式床下収納庫を提供することを目的とする。【解決手段】本発明の半地下式床下収納庫は、金属製の波板１で構成した基本壁パネル４とコーナ壁パネル６とで平面視矩形状の壁体７を形成し、地表面Ｇ．Ｌより下方に形成したコンクリート製の床スラブ８上に、該壁体７を立設固定し、地表面Ｇ．Ｌよりも上方に突出した該壁体７の頂部に木製天井パネル９を張設するとともに、該木製天井パネル９に開口部１０を形成したことを特徴とするものである。これにより金属製の床パネルおよび金属製の屋根パネルを必要とせず、安価で堅牢な半地下式床下収納庫となる。又、上記コンクリート製の床スラブ８に、コンクリート等からなる構造体床部１２を打設するとともに、該構造体床部１２の周縁部で上記壁体７の端面枠３を含む下端部を埋設したことを特徴とするものである。【選択図】図７
2006029036.tif 000002
【特許請求の範囲】
【請求項１】
金属製の波板の両側の谷部をその全長に亘って物品収納空間側に垂直に立ち上げて立ち上げリブを形成し且つ該波板の両端部の波形端面部にその全長に亘って金属製の端面枠を固着してなる基本壁パネルを構成し、山形鋼からなる隅枠の一片を構成する補強片を上記基本壁パネルの一方の立ち上げリブの外側面に固着してなるコーナ壁パネルを構成し、地表面より下方に形成したコンクリート製の床スラブ上に、複数枚の基本パネルと４枚のコーナ壁パネルとで形成された平面視矩形状の壁体を立設固定するとともに、該壁体のコーナ接続部で該隅枠の他片を構成する結合片と該コーナ壁パネルと直交接触する基本壁パネルの立ち上げリブとを接合固定し、且つ、該壁体の直線接続部で互いに接合する立ち上げリブ同士のそれぞれを接合固定し、更に、地表面よりも上方に突出した該壁体の頂部に木製天井パネルを張設するとともに、該木製天井パネルに開口部を形成したことを特徴とする半地下式床下収納庫。
【請求項２】
上記波板の物品収納空間側の谷部に開口するよう上記端面枠に穿孔した複数個の固定孔を介して、該端面枠をコンクリート製の床スラブにアンカーボルトやコンクリート釘等の緊結具で固定した請求項１記載の半地下式床下収納庫。
【請求項３】
上記コンクリート製の床スラブに、コンクリート等からなる構造体床部を打設するとともに、該構造体床部の周縁部で上記壁体の端面枠を含む下端部を埋設した請求項１ないし請求項２のいずれかに記載された半地下式床下収納庫。
【発明の詳細な説明】
【技術分野】
【０００１】  本発明は、下端部を地中に埋設した半地下式床下収納庫に関する。さらに詳しくは、設置作業が簡単容易で、安価に設置でき、且つ、強固な半地下式床下収納庫に関する。
【背景技術】
【０００２】  従来、複数枚のパネルをジョイントやフレームを使用して組み立てた組立式床下収納庫があった（例えば、特許文献１参照。）。【０００３】
【特許文献１】  特開２０００−１８６４２０号公報
【発明の開示】
【発明が解決しようとする課題】
【０００４】  しかしながら、上記特許文献１に示された組立式床下収納庫におけるパネルはパネル同士を直接結合するものではなく、パネル同士は別部材のジョイントやフレームで結合されるものであったから、部品点数が多くその組立作業が面倒であった。しかもこの組立式床下収納庫は、開示されているフレームやジョイントの形状から判断して、床パネルおよび屋根パネルは壁パネルとともに予め一体的に組み立てられた後、半地下状態に設置されるものであり、全体の重量が増大し半地下式床下収納庫の設置作業に手間ががかり、且つ、壁パネルと同一の構造の床パネルおよび屋根パネルの存在により、半地下式の組立式床下収納庫自身がコスト高になるという問題があった。【０００５】  本発明は、このような従来の構成が有していた問題を解決しようとするものであり、組立容易で、安価で強度の安定した半地下式床下収納庫を提供することを目的とするものである。
【課題を解決するための手段】
【０００６】  本発明は上記目的を達成するために、半地下式床下収納庫を次のような構成にしたものである。即ち、請求項１記載の半地下式床下収納庫は、金属製の波板の両側の谷部をその全長に亘って物品収納空間側に垂直に立ち上げて立ち上げリブを形成し且つ該波板の両端部の波形端面部にその全長に亘って金属製の端面枠を固着してなる基本壁パネルを構成し、山形鋼からなる隅枠の一片を構成する補強片を上記基本壁パネルの一方の立ち上げリブの外側面に固着してなるコーナ壁パネルを構成し、地表面より下方に形成したコンクリート製の床スラブ上に、複数枚の基本パネルと４枚のコーナ壁パネルとで形成された平面視矩形状の壁体を立設固定するとともに、該壁体のコーナ接続部で該隅枠の他片を構成する結合片と該コーナ壁パネルと直交接触する基本壁パネルの立ち上げリブとを接合固定し、且つ、該壁体の直線接続部で互いに接合する立ち上げリブ同士のそれぞれを接合固定し、更に、地表面よりも上方に突出した該壁体の頂部に木製天井パネルを張設するとともに、該木製天井パネルに開口部を形成したことを特徴とするものである。【０００７】  また、請求項２記載の半地下式床下収納庫は、上記波板の物品収納空間側の谷部に開口するよう上記端面枠に穿孔した複数個の固定孔を介して、該端面枠をコンクリート製の床スラブにアンカーボルトやコンクリート釘等の緊結具で固定したことを特徴とするものである。【０００８】  更に、請求項３記載の半地下式床下収納庫は、上記コンクリート製の床スラブに、コンクリート等からなる構造体床部を打設するとともに、該構造体床部の周縁部で上記壁体の端面枠を含む下端部を埋設したことを特徴とするものである。
【発明の効果】
【０００９】  請求項１に記載した本発明の半地下式床下収納庫は、上記の如く、金属製の床パネルや金属製の屋根パネルを必要としないから、従来のように、壁パネルと床パネルおよび屋根パネルとが一体となった半地下式床下収納庫に比較して、全体の重量が軽くなり床下収納庫を半地下に設置するときの作業が簡単でその組立工数も少なくなる。また、本発明においては、半地下に構造物を設置するとき、必ず必要とされるコンクリート製の床スラブをそのまま床下収納庫の床パネルとして活用するものであるから、床下収納庫を半地下式に安価に設置できる。【００１０】  また、基本壁パネルに山形鋼からなる隅枠を固着したものがコーナ壁パネルであり、両者の構成は該隅枠を除いて同一部品で構成されるから、量産効果が期待されその製造工程が単純化されるとともに安価に製造できる。【００１１】  更に、複数枚の基本壁パネルと４枚のコーナ壁パネルとで構成される平面視矩形状の壁体は、壁体のコーナ接続部において、隅枠の他片を形成する結合片と該コーナ壁パネルに直交接触する基本壁パネルの立ち上げリブとが接合固定され、且つ、壁体の直線接続部において、互いに接合する立ち上げリブ同士が接合固定されるので、該結合片５２および立ち上げリブが壁体の構造上の骨材機能を有することになり、外側の土圧に対し十分に耐え得る強度を有するのである。【００１２】  更に、本発明は、地表面よりも上方に突出した該壁体の頂部には土圧等の大きな力が加わらないので、金属製ではなく軽量の木製天井パネルを張設することができ、全体を安価に製造できるとともに、該木製天井パネルは湿気吸収性が高いので床下収納庫内の湿気をよく吸収し結露が発生しにくいのである。【００１３】  また、本発明は、波板の物品収納空間側の谷部に開口するよう上記端面枠に穿孔した複数個の固定孔を介して、該端面枠をコンクリート製の床スラブにアンカーボルトやコンクリート釘等の緊結具で固定するものであるから、固定孔を貫通した緊結具は物品収納空間側内部に位置することになり、該緊結具を構成するアンカーボルトへのナット等の締め付け作業やコンクリート釘の打ち込み作業が確実容易になる。【００１４】  更に、本発明は、コンクリート製の床スラブに、コンクリート等からなる構造体床部を打設するとともに、該構造体床部の周縁部で上記壁体の端面枠を含む下端部を埋設するものであるから、緊結具と該構造体床部とで壁体を立設固定する場合は該緊結具も埋設されることになり、該壁体が確実強固に立設固定され且つ防湿防水効果もある。また、緊結具を使用せずにコンクリート等からなる構造体床部のみで壁体を立設固定する場合は壁体の下端部における端面枠等を含む全周囲が該構造体床部で埋設されるので、該壁体は実用上十分な強度で立設固定され且つ防湿防水効果があることは勿論のこと、緊結具を使用しないので、施工工数を大幅に削減でき、従って、半地下式床下収納庫を安価に設置できるのである。
【発明を実施するための最良の形態】
【００１５】  以下、本発明の実施の形態を図１〜図１１に基づいて説明する。【００１６】  図１は、本発明の半地下式床下収納庫の実施形態に係る基本壁パネルを示す斜視図、図２は該基本壁パネルの分解斜視図である。同図に示すように、基本壁パネル４は金属製の波板１と２個の金属製の端面枠３、３とからなり、  波板１の両側の谷部１１１はその全長に亘って物品収納空間側に垂直に立ち上げられて立ち上げリブ２、２が形成されている。該波板１の両端部の波形端面部１１２、１１２には端面枠３、３がその全長に亘って溶接等の手段で固着されている。立ち上げリブ２、２のそれぞれには５個の接合孔２１が互いに対向した状態で一定間隔で穿孔されている。又端面枠３は短冊形状をしておりそれぞれの端面枠３、３には４個の固定孔３１が互いに対向した状態で一定間隔で穿孔されている。更に該それぞれの固定孔３１は上記波板１の立ち上げリブ２側の谷部１１１に開口するよう、即ち、床下収納庫の物品収納空間側に開口している。端面枠３には少なくとも一個以上の固定孔３１があればよい。【００１７】  波板１の波形状は、実施例のような山波形状に限定されるものではなく、三角波形状や四角波形状、台形波形状で形成してもよい。また、金属製の端面枠３は、短冊形状に限定されるものではなく、山形鋼やコ字形鋼で形成してもよい。端面枠３を山形鋼やコ字形鋼で形成する場合は、端面枠３は波板１の波形端面部１１２に固着されている面に固定孔３１が穿孔されることになる。【００１８】  図３は本発明の半地下式床下収納庫の実施形態に係るコーナ壁パネルを示す斜視図、図４はコーナ壁パネルの断面図である。同図に示すように、コーナ壁パネル６は、基本壁パネル４の一方の立ち上げリブ２の外側面全長に、山形鋼からなる隅枠５の一片を構成する補強片５１を溶接等の手段により固着し、且つ、該隅枠５の他片を構成する結合片５２を上記基本壁パネル４の一方の側端部の谷部１１１に臨ませたものである。該コーナ壁パネル６は隅枠５の補強片５１が固着された立ち上げリブ２には接合孔２１を設けられず、隅枠５の他片を構成する結合片５２に接合孔５２１が穿孔されている。該接合片５２の接合孔５２１と、隅枠５が装着されていない立ち上げリブ２の接合孔２１とはそれぞれ同一高さ位置に穿孔されている。【００１９】  上記実施例においては、隅枠５の接合片５２が波板１の側端部に位置する谷部１１１に臨むように隅枠５の補強片５１が固着されているが、該接合片５２が該谷部１１１と反対側に突出するよう隅枠５の補強片５１を立ち上げリブ２の外側面に固着してもよい。【００２０】  図５は妻側に２枚のコーナ壁パネル６、６と該コーナ壁パネル６、６間に介在された２枚の基本壁パネル４、４とが立設され、桁側に４枚の基本壁パネル４、４、４、４が立設され、全体として平面視矩形状の壁体７が立設固定された状態を示す平面図である。同図において、矩形状の一点鎖線は床下収納庫の開口部１０の位置を示している。【００２１】  図５に示した実施例は妻側壁体および桁側壁体はいずれも４枚のパネルを用いたものであるが、本発明においては、採用するパネルの枚数は顧客の要求に従って妻側壁体および桁側壁体の採用枚数が選択決定される。基本壁��ネル４およびコーナ壁パネル６の外形寸法は実施例においては幅約５０ｃｍ、高さ約１５０ｃｍ、厚さ約６ｃｍである。【００２２】  図６は図５に示した壁体７に木製天井パネル９を張設したときの平面図である。各基本壁パネル４およびコーナ壁パネル６の頂面に木製枠９１を配設してそれぞれを端面枠３の固定孔３１を利用して固定し、更に、該木製枠９１間に同一寸法の木製枠９１を面一に架橋し、その上に木製の天井板９２を張設したものである。このとき、天井パネル９には出入り口となる開口部１０が形成される。【００２３】  図７は本発明の半地下式床下収納庫を設置したときの概略を示す縦断面図である。同図において、１３はぐり石、１４はぐり石１３上に打設した捨てコンクリートであり、該捨てコンクリート１４の上にコンクリート製の床スラブ８を打設したものである。図８は壁体７を床スラブ８に固定したときの状態を示す部分断面図である。同図に示すように、床スラブ８には基本壁パネル４およびコーナ壁パネル６の端面枠３に穿孔した固定孔３１に対応する位置に緊結具１１の一実施形態であるアンカーボルトが植設されており、該アンカーボルトを該固定孔３１に貫通させた後、ナット１５を該アンカーボルトに螺合締結することにより該壁体７を床スラブ８上に立設固定するのである。緊結具１１の他の実施形態としてはコンクリート釘（図示せず）が使用される。即ちコンクリート釘を固定孔３１に貫通させた状態で該床スラブ８に打ち込むのである（図示せず）。【００２４】  図９はアンカーボルト等の緊結具１１を使用することなく壁体７を立設固定した場合の固定状態を示す他の実施例の部分断面図を示している。即ち、先ず矩形状に組まれた壁体７を床スラブ８上に設置した後、該床スラブ８上に、コンクリート等からなる構造体床部１２を打設するとともに、該構造体床部１２の周縁部で該壁体７の端面枠３を含む下端部を埋設した他の実施例を示す部分断面図である。同図に示すようにコンクリート等からなる構造体床部１２は水平状態で設置されている端面枠３を埋設固定するとともに、該コンクリートが端面枠３の固定孔３１内にも充填されるので壁体７がしっかりと立設固定されるのである。勿論、アンカーボルトやコンクリート釘等の緊結具１１とコンクリート等からなる構造体床部１２とを併用して壁体７を立設固定してもよい。【００２５】  図７において、壁体７は約３分の２が地中に埋設されており約３分の１が地表面Ｇ．Ｌより上方に突出している。前述の如く、壁体７の頂面は木製枠９１および木製の天井板９２からなる木製天井パネル９が開口部１０を残した状態で張設されている。１６は地上建屋の床、１７は該床１６に設けた開閉蓋であり、該開閉蓋１７を開けたとき、木製板からなる筒状の囲い部１８を介して床下収納庫と地上建屋が連通する。１９は大引、２０は根太である。壁体７の地中への埋め込み量は必要に応じてその都度決定される。【００２６】  図７において、必要に応じて壁体７の外側面に断熱材（図示せず）を設けてもよく、更には、地中の水分の含有量が多い場合には遮水袋（図示せず）で壁体７の外周部を被うようにしてもよい。又、開口部１０に蓋（図示せず）を装着してもよい。【００２７】  図１０は図５におけ��Ａ部の部分平断面図であり、壁体７のコーナー接続部の接合固定状態を示すものである。同図に示すように、コーナ壁パネル６に固着した隅枠５の結合片５２と、該結合片５２に対向した基本壁パネル４の立ち上げリブ２とをシール２２を介在させた状態で水密的に結合している。即ち、該結合片５２の接合孔５２１、シール２２、および立ち上げリブ２の接合孔２１のそれぞれを貫通したボルト２３にナット２４を螺合することによりコーナ壁パネル６と基本壁パネル４とを結合固定している。同図において、それぞれの端面枠３に穿孔した固定孔３１には必要に応じてアンカーボルト（図示せず）を貫通して該端面枠３を床スラブ８に固定するのである。【００２８】  図１０に示した実施例では、隅枠５の接合片５２が波板１の側端部の谷部１１１に臨むように隅枠５の補強片５１が立ち上げリブ２の外側面に固着されているが、該接合片５２が該谷部１１１と反対側に突出するよう隅枠５の補強片５１を立ち上げリブ２の外側面に固着した場合は、図１０において、隅枠５の結合片５２が左側に突出することになり（図示せず）、従って基本壁パネル４の立ち上げリブ２は当該左側に突出した結合片５２（図示せず）に結合される。【００２９】  図１１は図５におけるＢ部の部分平断面図であり、壁体７の直線接続部の接合固定状態を示すものである。同図に示すように、該壁体７の直線接続部で互いに接合する立ち上げリブ２、２間にシール２２を介在させ、それぞれの接合孔２１、２１およびシール２２を貫通したボルト２３にナット２４を螺合することにより両者を水密的に接合固定している。同図において端面枠３のアンカーボルト用の固定孔３１が見えている。【００３０】  上記の如く、本発明の半地下式床下収納庫は、平面視矩形状であって金属製の筒状壁体７とコンクリート製の床スラブ８と木製の天井パネル９とからなり、組立施工容易で、構造的に安定しており、且つ、結露が発生しにくい、安価な床下収納庫となる。
【図面の簡単な説明】
【００３１】
【図１】  本発明の実施形態に係る基本壁パネルを示す斜視図。
【図２】  同基本壁パネルの分解斜視図。
【図３】  同コーナ壁パネル斜視図。
【図４】  同コーナ壁パネルの断面図。
【図５】  同壁体の平面図。
【図６】  同壁体に天井パネルを張設したときの平面図。
【図７】  本発明の半地下式床下収納庫を設置したときの概略を示す縦断面図。
【図８】  同壁体の床スラブへの固定状態を示す部分断面図。
【図９】  同壁体の床スラブへの他の固定状態を示す部分断面図。
【図１０】  同壁体のコーナー部の接合固定状態を示す部分平断面図。
【図１１】  同壁体の直線部の接合固定状態を示す部分平断面図。
【符号の説明】
【００３２】１      波板
１１１  波板の谷部
１１２  波板の波形端面部
２      立ち上げリブ
２１    接合孔
２２    シール
２３    ボルト
２４    ナット
３      端面枠
３１    端面枠の固定孔
４      基本壁パネル
５      隅枠
５１    隅枠の補強片
５２    隅枠の結合片
５２１  接合片に穿孔した接合孔
６      コーナ壁パネル
７      矩形状の壁体
８      コンクリート製の床スラブ
９      木製天井パネル
９１    木製枠
９２    木製の天井板
１０    開口部
１１    緊結具（アンカーボルトやコンクリート釘）
１２    構造体床部
１３    ぐり石
１４    捨てコンクリート
１５    ナット
１６    地上建屋の床
１７    開閉蓋
１８    囲い部
１９    大引
２０    根太
Ｇ．Ｌ  地表面
【図１】
2006029036.tif 000003
【図２】
2006029036.tif 000004
【図３】
2006029036.tif 000005
【図４】
2006029036.tif 000006
【図５】
2006029036.tif 000007
【図６】
2006029036.tif 000008
【図７】
2006029036.tif 000009
【図８】
2006029036.tif 000010
【図９】
2006029036.tif 000011
【図１０】
2006029036.tif 000012
【図１１】
2006029036.tif 000013